(57)【特許請求の範囲】
【請求項１】
空気入口と同出口を有し、空気熱交換器と送風機を内部に備えるケーシングの下部外側にケーシング内と仕切られたドレンパンを設け、同ドレンパン内とケーシング内とを連通するドレン抜き孔を底板に有するドレン溜りを前記空気熱交換器の下方に設け、同ドレン溜り内に、水が流通でき、かつ、空気の流通抵抗が大なる通風抵抗部材を設け、前記ドレンパンのドレン排出口に接続される機外ドレン管のトラップ機構を不要ならしめた空気調和機。
【請求項２】
前記通風抵抗部材は、水分を含ませた状態での空気圧損が空気調和機の全静圧以上となる厚さのものとしてなる請求項１に記載の空気調和機。
【発明の詳細な説明】
【０００１】
【発明の属する技術分野】
本発明は天埋型の空気調和機に関し、より詳しくはドレン排出構造に特徴を有する空気調和機に関する。
【０００２】
【従来の技術とその問題点】
図３は被空調室の天井内に吊り下げて設けられるタイプ（天埋型）の空気調和機の一例を示す縦断正面図であり、ケーシング１はスラブ２ａに上部が固定された吊り下げ具３、３により被空調室２の天井板２ｂの上方に吊り下げられている。
【０００３】
ケーシング１内には空気入口１ａ側からエアフィルタ４、空気熱交換器５および送風機６をこの順に備え、前記空気熱交換器５の下方にはドレンパン２１が設けられている。
【０００４】
空気入口１ａからの空気はエアフィルタ４を通過して空気熱交換器５で冷却または加温され、送風機６により空気出口１ｂから被空調室へ図示省略のダクト等により供給され、冷房時においては被処理空気中の水分が前記空気熱交換器５において結露してドレンパン２１に滴下し、空気出口１ｂ下方に設けられたドレン管２２によりケーシング外に排出される。
【０００５】
このドレン管２２の外端には機外ドレン管２３が接続され、同機外ドレン管２３にはＵ字トラップ部２４を形成してドレン管を水封してあって、ドレン管を通してケーシング内外の空気が流通するのを防止している。
【０００６】
しかしながら、上述した従来の空気調和機ではＵ字トラップ部２４は前記ドレンパン２１よりも低い位置に設けなければならず、しかも所要のトラップ高さＨを要し、このトラップ高さＨは例えば風量２４００CMH、静圧３０mmAq（機外静圧１５mmAq）の空気調和機の場合、Ｈ≧４５ｍｍが要求され、スラブ２ａと天井板２ｂ間の限られたスペースの間にＵ字トラップ部を設けるのが困難であった。また、ドレン管内、特にＵ字トラップ部２４にはごみが溜り易く、清掃が煩雑であった。
【０００７】
なお、以上の問題点はＵ字トラップを設ける場合について説明したが、ベルトラップ等の他のトラップ構造（水封構造）をドレン管に設ける場合についても同様の問題点が存在する。
【０００８】
【目的】
本発明の目的とするところは、上述した従来の空気調和機における問題点を解消し、ドレン管にトラップ構造を設けることなくケーシング内外の空気の流通を確実に防止することができ、設置スペースが小で、しかもドレン管の清掃が容易な空気調和機を提供することにある。
【０００９】
【課題を解決するための手段】
上記目的を達成するために、本発明に係る空気調和機は、空気入口と同出口を有し、空気熱交換器と送風機を内部に備えるケーシングの下部外側にケーシング内と仕切られたドレンパンを設け、同ドレンパン内とケーシング内とを連通するドレン抜き孔を底板に有するドレン溜りを前記空気熱交換器の下方に設け、同ドレン溜り内に、水が流通でき、かつ、空気の流通抵抗が大なる通風抵抗部材を設け、前記ドレンパンのドレン排出口に接続される機外ドレン管のトラップ機構を不要ならしめた構造のものとしてあり、また、前記通風抵抗部材は、水分を含ませた状態での空気圧損が空気調和機の全静圧以上となる厚さのものとしてある。
【００１０】
【実施例】
本発明に係る空気調和機の実施例を図１、２に示す具体例に基づいて説明する。なお、図３に示した従来のものと同様の構成については、同一の符号を付した。
【００１１】
ケーシング１はスラブ２ａに上部が固定された吊り下げ具３、３により被空調室２の天井板２ｂの上方に吊り下げられており、空気入口１ａと同出口１ｂを有するケーシング１内には、空気入口１ａ側からエアフィルタ４、空気熱交換器５および送風機６をこの順に備え、前記空気熱交換器５の下部には後述するドレン溜り７を設けてある。
【００１２】
ケーシング１の下部外側にはドレンパン８を設けてあり、同ドレンパンの受水面はケーシングの空気出口１ｂへ向かって緩やかに下傾しており、空気出口１ｂの下方側面に設けたドレン排出口を構成するドレン管９の継手９ａに適宜の機外ドレン管１０を接続してある。
なお、機外ドレン管１０にはＵ字トラップ部等のトラップ機構は設けず、図示を省略した建物の排水管等の排水経路にそのまま接続される。
【００１３】
しかして、前記ドレン溜り７は空気熱交換器５のケーシング１１の下部フレーム１１ａ内に設けられていて、ドレン溜り７の上部は空気熱交換器のコイル５ａの底面に臨み、ドレン溜りの底板７ａのほぼ中央にドレン抜き孔１２をあけてあって、ドレン溜り７内には例えば合成樹脂繊維よりなる通風抵抗部材１３を収容してある。
【００１４】
前記通風抵抗部材１３の厚さおよびドレン抜き孔１２の径は空気調和機の風量や全静圧に応じて適宜選択し、例えば通風抵抗部材に水を含ませた状態でのドレン溜りにおける空気圧損が空気調和機の全静圧とほぼ同じかそれ以上となるようにする。
【００１５】
より具体的には、例えば空気調和機が風量２４００CMH、全静圧３０mmAq（機外静圧１５mmAq）である場合、通風抵抗部材の厚さを３０ｍｍ程度、ドレン抜き孔の径を１５ｍｍ程度とするのが好適であり、通風抵抗部材による空気圧損約２５mmAqと最大水封高さ約５mmAqとでドレン溜り７による空気圧損が約３０mmAqとなり、空気調和機の全静圧３０mmAqと等しくなってケーシング内外の空気の流通が防止される。
【００１６】
次ぎに上述のように構成した空気調和機の作用を説明する。
空気入口１ａから吸入された空気はエアフィルタ４により塵埃が除去され、空気熱交換器５により温度調節されて送風機６に吸い込まれ、空気出口１ｂからケーシング１外へ送出され、図示省略のダクトにより被空調室２へ送られる。
【００１７】
前記空気熱交換器５においては、冷房時に空気中の水分が冷却されて液化し、水滴となって同空気熱交換器のコイル５ａからドレン溜り７内に滴下し、通風抵抗部材１３を流過してドレン抜き孔１２からドレンパン８内に流れ、同ドレンパン８の傾斜によりドレン管９側へ流れ、同ドレン管から機外へ排出される。
【００１８】
しかして、ケーシング内は送風機６の駆動によりケーシング外の気圧すなわち大気圧よりも低圧になっているが、ドレン溜り７内に設けられた通風抵抗部材１３の通風抵抗により、ドレンパン８内からケーシング内への空気の流入が防止される。
【００１９】
なお、上述した実施例の空気調和機はケーシング１内において空気熱交換器５の下流側に送風機６を備えるいわゆる吸込式のものであったが、空気熱交換器５の上流側に送風機６を備え、送風機６からの空気が熱交換器まわりに押し込まれて熱交換器室まわりが大気圧よりも高圧となる押込式のものであっても、上述した実施例と同様のドレン溜りを空気熱交換器の下方に設けることでケーシング内からドレンパン内への空気の流出が防止される。
【００２０】
【発明の効果】
本発明に係る空気調和機によれば、ケーシング内外の空気の流通を空気熱交換器の下方に設けたドレン溜り内の通風抵抗部材により防止しているので、従来の空気調和機のようにドレン管の途中にＵ字トラップ等のトラップ構造（水封構造）を設ける必要がない。
【００２１】
したがって、前記トラップ機構を設ける必要がなくて空気調和機の設置スペースを小なるものとすることができるに止まらず、ドレン管の清掃を容易に行うことができる。
【００２２】
また、ドレン溜りの通風抵抗部材がドレンのフィルタとなるので、ドレン排水経路の清掃は例えば空気調和機自体のメンテナンスの際に通風抵抗部材を清掃または交換するだけで殆ど事が足りるというメリットもある。
【図面の簡単な説明】
【図１】本発明に係る空気調和装置の実施例を示す縦断正面図。
【図２】図１の要部拡大縦断正面図。
【図３】従来の空気調和機の一例を示す縦断正面図。
【符号の説明】
１  ケーシング              ２  被空調室
３  吊り下げ具              ４  エアフィルタ
５  空気熱交換器            ６  送風機
７  ドレン溜り              ８  ドレンパン
９  ドレン管              １０  機外ドレン管
１１  空気熱交換器のケーシング
１２  ドレン抜き孔          １３  通風抵抗部材
【図１】
0003860677.tif 000002
【図２】
0003860677.tif 000003
【図３】
0003860677.tif 000004